(57)【要約】【課題】  構成を複雑化させることなく、且つ、不用意な導通が生ずることがないドームコンタクトを使用したスイッチを提供すること。【解決手段】  回路基板と、上記回路基板に設けられた外周部接点回路パターンと、上記回路基板に設けられ上記外周部接点回路パターンの内周側に設けられた中央部接点回路パターンと、上記回路基板上に設置されるドームコンタクトと、を具備し、上記外周部接点回路パターンの一部を除去し、そこに上記中央部接点回路パターンを外部に引き出すための引出部を設置し、上記ドームコンタクトの上記引出部に対応する部位を切欠部としたもの。【選択図】  図１
2008251178.tif 000002
【特許請求の範囲】
【請求項１】
回路基板と、
上記回路基板に設けられた外周部接点回路パターンと、
上記回路基板に設けられ上記外周部接点回路パターンの内周側に設けられた中央部接点回路パターンと、
上記回路基板上に設置されるドームコンタクトと、
を具備し、
上記外周部接点回路パターンの一部を除去し、そこに上記中央部接点回路パターンを外部に引き出すための引出部を設置し、上記ドームコンタクトの上記引出部に対応する部位を切欠部としたことを特徴とするスイッチ。
【請求項２】
請求項１記載のスイッチにおいて、
上記引出部の所定位置にレジストを設けたことを特徴とするスイッチ
【請求項３】
請求項１記載のスイッチにおいて、
上記ドームコンタクトの対向する一対の側部には切欠部が夫々設けられていることを特徴とするスイッチ。
【発明の詳細な説明】
【技術分野】
【０００１】
本発明は、例えば、オーディオ、ビデオ機器、通信機器、測定機器等の各種電気機器や電信機器において信号入力部において使用されドームコンタクトを備えたスイッチに係り、特に、複雑な構成を要することなく中央部接点回路パターンをドームコンタクトの外部に引き出すことができるように工夫したものに関する。
【背景技術】
【０００２】
従来のスイッチは、例えば、図８に示すような構成になっていた。まず、回路基板１０１があり、この回路基板１０１の上には中央部接点回路パターン１０３と、外周部接点回路パターン１０５が設けられている。又、上記回路基板１０１上にはドームコンタクト１０７が設置されているとともに、その上からはカバー１０９が設置されるように構成されている。
【０００３】
上記ドームコンタクト１０７は上記外周部接点回路パターン１０５上に設置されている。又、外周部接点回路パターン１０５の一部は引出部１１１を介して外部に引き出されるように構成されている。又、上記中央部接点回路パターン１０３にはスルーホール１１３が設けられており、このスルーホール１１３を介して中央部接点回路パターン１０３から外部に引き出されるように構成されている。すなわち、スルーホール１１３を介して上記回路基板１０１の裏面側に中央部接点回路パターン１０３の一部が引き出されているものである。
【０００４】
又、別のタイプのスイッチとして、図９に示すようなものがある。まず、回路基板２０１があり、この回路基板２０１の上には中央部接点回路パターン２０３と、外周部接点回路パターン２０５が設けられている。又、上記回路基板２０１上にはドームコンタクト２０７が設置されているとともに、その上からはカバー２０９が設置されるように構成されている。
【０００５】
上記ドームコンタクト２０７は上記外周部接点回路パターン２０５上に設置されている。又、外周部接点回路パターン２０５の一部は引出部２１１を介して外部に引き出されるように構成されている。又、上記中央部接点回路パターン２０３の一部は引出部２１３を介して外部に引き出されている。すなわち、上記外周部接点回路パターン２０５の一部が切り欠かれていて、そこを介して上記引出部２１３が設けられているものである。
【０００６】
又、上記引出部２１３の一部にはレジスト２１５が設けられていて、ドームコンタクト２０７を外周部接点回路パターン２０５上に設置したときに、トームコンタクト２０７が引出部２１３に接触しないようにしている。
【０００７】
尚、この種のスイッチの構成を開示するものとして、例えば、特許文献１等がある。
【特許文献１】特開２００２−１６３９５２号公報
【発明の開示】
【発明が解決しようとする課題】
【０００８】
上記従来の構成によると次のような問題があった。
まず、図８に示したような従来例の場合には、スルーホール１１３を介して回路基板１０１の裏側に回路パターンを引き出して両面構造にしなければならず、回路が複雑化してしまうとともにコストが上昇してしまうという問題があった。
又、図９に示したような従来例の場合には、片面構造にすることはできるものの、トームコンタクト２０７の繰り返し動作によってレジスト２１５が削られてしまい、それによって、トームコンタクト２０７側と中央部接点回路パターン２０３側が導通してしまい、スイッチとしての機能が損なわれてしまうという問題があった。
【０００９】
本発明はこのような点に基づいてなされたものでその目的とするところは、構成を複雑化させることなく、且つ、不用意な導通が生ずることがないドームコンタクトを使用したスイッチを提供することにある。
【課題を解決するための手段】
【００１０】
上記目的を達成するべく本願発明の請求項１によるスイッチは、回路基板と、上記回路基板に設けられた外周部接点回路パターンと、上記回路基板に設けられ上記外周部接点回路パターンの内周側に設けられた中央部接点回路パターンと、上記回路基板上に設置されるドームコンタクトと、を具備し、上記外周部接点回路パターンの一部を除去し、そこに上記中央部接点回路パターンを外部に引き出すための引出部を設置し、上記ドームコンタクトの上記引出部に対応する部位を切欠部としたことを特徴とするものである。
又、請求項２によるスイッチは、請求項１記載のスイッチにおいて、上記引出部の所定位置にレジストを設けたことを特徴とするものである。
又、請求項３によるスイッチは、請求項１記載のスイッチにおいて、上記ドームコンタクトの対向する一対の側部には切欠部が夫々設けられていることを特徴とするものである。
【発明の効果】
【００１１】
以上述べたように本発明による本願発明の請求項１によるスイッチは、回路基板と、上記回路基板に設けられた外周部接点回路パターンと、上記回路基板に設けられ上記外周部接点回路パターンの内周側に設けられた中央部接点回路パターンと、上記回路基板上に設置されるドームコンタクトと、を具備し、上記外周部接点回路パターンの一部を除去し、そこに上記中央部接点回路パターンを外部に引き出すための引出部を設置し、上記ドームコンタクトの上記引出部に対応する部位を切欠部とした構成になっているので、まず、回路を表裏両面を使用する両面構造にすることなく、所望の回路構成を実現することができる。これは、ドームコンタクトに切欠部を設け、その部分を引出部に対して非接触となるように構成したからである。
又、請求項２によるスイッチは、請求項１記載のスイッチにおいて、上記引出部の所定位置にレジストを設けた構成になっているので、通常時にはドームコンタクトが引出部に対して接触することはないが、万一に備えてレジストを設けているので、ドームコンタクトの引出部に対する不用意な接触は確実に防止されることになる。
又、請求項３によるスイッチは、請求項１記載のスイッチにおいて、上記ドームコンタクトの対向する一対の側部に切欠部を夫々設けた構成になっているので、ドームコンタクトの指向性がなくなり組立が容易になる。
【発明を実施するための最良の形態】
【００１２】
以下、図１乃至図４を参照して本発明の第１の実施の形態を説明する。まず、回路基板１があり、この回路基板１の上には中央部接点回路パターン３と、外周部接点回路パターン５が設けられている。又、上記回路基板１上にはドームコンタクト７が設置されているとともに、その上からはカバー９が設置されるように構成されている。
【００１３】
上記ドームコンタクト７は上記外周部接点回路パターン５上に設置されている。又、外周部接点回路パターン５の一部は引出部１１を介して外部に引き出されるように構成されている。又、上記外周部接点回路パターン５の一部は切り欠かれていて、そこには上記中央部接点回路パターン３から外部に引き出された引出部１３が設けられている。又、上記引出部１３と上記中央部接点回路パターン３との境界部にはレジスト１５が設けられている。
【００１４】
上記ドームコンタクト７であるが、対向する両サイドが切り欠かれていて、切欠部２１ａ、２１ｂとなっている。上記ドームコンタクト７はこれら切欠部２１ａ、２１ｂの部分が、上記引出部１１、１３を結んだ線上に位置するように設置されている。上記切欠部２１ｂの位置ではドームコンタクト７が動作してもドームコンタクト７が上記引出部１３に接触することはないように構成されている。
【００１５】
又、上記引出部１３と中央部接点回路パターン３との境界部にはレジスト２３が設けられている。既に説明したように、上記切欠部２１ｂの位置ではドームコンタクト７が動作しても上記引出部１３に接触することはないように構成されているが、さらに安全性を高めるために上記レジスト２３を設けるようにしているものである。
【００１６】
以上の構成を基にその作用を説明する。まず、ドームコンタクト７が動作する前には図３に示すような状態にある。この場合には、ドームコンタクト７の外周部は外周部接点回路パターン５に当接しているが、切欠部２１ｂの部分は非接触の状態にある。
次に、ドームコンタクト７の動作時であるが、この場合にはドームコンタクト７の中央部７ａが押圧されて中央部接点回路パターン３に接触している。一方、切欠部２１ｂの部分は非接触の状態にある。
【００１７】
以上本実施の形態によると次のような効果を奏することができる。
まず、回路を表裏両面を使用する両面構造にすることなく、所望の回路構成を実現することができる。これは、ドームコンタクト７に切欠部２１ｂを設け、その部分を引出部１３に対して非接触となるように構成したからである。
又、通常時にはドームコンタクト７が引出部１３に対して接触することはないが、万一に備えてレジスト２３を設けているので、ドームコンタクト７の引出部１３に対する不用意な接触は確実に防止されるものである。
又、この実施の形態の場合には、ドームコンタクト７の両側部に切欠部２１ａ、２１ｂを設けているので、何れの側が引出部１３側に位置してもよく、その意味でドームコンタクト７の指向性がないので、組立が容易になったものである。
【００１８】
次に、図５を参照して本発明の第２の実施の形態を説明する。この場合は、ドームコンタクト７の両側部に切断時に残存する突起３１ａ、３１ｂが設けられているものである。その他の構成は前記第１の実施の形態の場合と同様であり、同一部分には同一符号を付して示しその説明は省略するものである。
このような構成でも前記第１の実施の形態の場合と同様の効果を奏することができるものである。
【００１９】
次に、図６を参照して本発明の第３の実施の形態を説明する。この場合は、ドームコンタクト７の切欠部２１ａ、２１ｂ側に切断時に残存する突起４１ａ、４１ｂが設けられているものである。その他の構成は前記第１の実施の形態の場合と同様であり、同一部分には同一符号を付して示しその説明は省略するものである。
このような構成でも前記第１の実施の形態の場合と同様の効果を奏することができるものである。
【００２０】
次に、図７を参照して本発明の第４の実施の形態を説明する。この場合は、ドームコンタクト７の片側のみに切欠部２１ｂを設けるとともに、別の両側部に切断時に残存する突起５１ａ、５１ｂが設けられているものである。その他の構成は前記第１の実施の形態の場合と同様であり、同一部分には同一符号を付して示しその説明は省略するものである。
このような構成でも前記第１の実施の形態の場合と同様の効果を奏することができるものである。
【００２１】
尚、本発明は前記第１〜第４の実施の形態に限定されるものではない。
例えば、ドームコンタクトの切欠部の形状、大きさ等については適宜設定すればよい。
その他、図示した構成はあくまで一例であってそれに限定されるものではない。
【産業上の利用可能性】
【００２２】
本発明は、ドームコンタクトを備えたスイッチに係り、特に、複雑な構成を要することなく中央部接点回路パターンをドームコンタクトの外部に引き出すことができるように工夫したものに関し、例えば、例えば、オーディオ、ビデオ機器、通信機器、測定機器等の各種電気機器や電信機器において信号入力部において使用される各種スイッチに好適である。
【図面の簡単な説明】
【００２３】
【図１】本発明の第１の実施の形態を示す図で、スイッチの構成を示す分解斜視図である。
【図２】本発明の第１の実施の形態を示す図で、スイッチの要部の構成を抽出して示す平面図である。
【図３】本発明の第１の実施の形態を示す図で、動作前のスイッチの構成を示す断面図である。
【図４】本発明の第１の実施の形態を示す図で、動作後のスイッチの構成を示す断面図である。
【図５】本発明の第２の実施の形態を示す図で、ドームコンタクトの構成を示す平面図である。
【図６】本発明の第３の実施の形態を示す図で、ドームコンタクトの構成を示す平面図である。
【図７】本発明の第４の実施の形態を示す図で、ドームコンタクトの構成を示す平面図である。
【図８】従来例を示す図で、スイッチの構成を示す分解斜視図である。
【図９】従来例を示す図で、スイッチの構成を示す分解斜視図である。
【符号の説明】
【００２４】
１  回路基板
３  外周部接点回路パターン
５  中央部接点回路パターン
７  ドームコンタクト
９  カバー
１１  引出部
１３  引出部
１５  レジスト
２１ａ  切欠部
２１ｂ  切欠部
【図１】
2008251178.tif 000003
【図２】
2008251178.tif 000004
【図３】
2008251178.tif 000005
【図４】
2008251178.tif 000006
【図５】
2008251178.tif 000007
【図６】
2008251178.tif 000008
【図７】
2008251178.tif 000009
【図８】
2008251178.tif 000010
【図９】
2008251178.tif 000011